(57)【要約】【課題】記憶手段の記憶容量の増加を最小限に抑制しながら、処理のオーバーヘッドを減少させるとともに負荷の集中を緩和することにより、連写速度が高速の場合でも撮像および記録が可能な電子的撮像装置を提供する。【解決手段】撮像素子２と、リサイズ手段４と、画像処理手段５と、記録手段１１とを備え、撮像時に撮像素子２から得た撮像画像と、該撮像画像のリサイズ画像とを、記録手段１１に記録するようにした本発明の電子的撮像装置では、撮像画像およびリサイズ画像を画像処理手段５によりそれぞれ個別に処理する際に、撮像画像の画像処理および記録をリサイズ画像の画像処理より優先して行うことにより、連写速度が高速の場合でも撮像および記録を可能にしている。【選択図】図１
2009303114.tif 000002
【特許請求の範囲】
【請求項１】
撮像素子と、リサイズ画像生成手段と、画像処理手段と、記録手段とを備え、撮像時に前記撮像素子から得た撮像画像と、該撮像画像のリサイズ画像とを、前記記録手段に記録するようにした電子的撮像装置であって、
前記撮像画像および前記リサイズ画像を前記画像処理手段によりそれぞれ個別に処理する際に、前記撮像画像の画像処理および記録を前記リサイズ画像の画像処理より優先して行うことを特徴とする電子的撮像装置。
【請求項２】
前記リサイズ画像生成手段により生成した前記リサイズ画像は、撮像時に記憶手段に格納し、非撮像期間に前記記憶手段より取り出して前記画像処理手段により画像処理した後に前記記録手段に記録することを特徴とする請求項１に記載の電子的撮像装置。
【請求項３】
前記リサイズ画像は、前記記憶手段に格納する前に圧縮することを特徴とする請求項１または２に記載の電子的撮像装置。
【請求項４】
前記リサイズ画像の画像処理および記録は、優先順位の低いタスクとして、前記撮像画像の画像処理および記録処理を妨げないように、かつ、前記画像処理手段の処理に空き時間が生じないように制御することを特徴とする請求項１〜３の何れか１項に記載の電子的撮像装置。
【請求項５】
連写であるか否かを判定する判定手段を備え、該判定手段の判定結果に基づいて前記撮像画像の画像処理および記録を前記リサイズ画像の画像処理より優先して行う処理を行うか否かを決定することを特徴とする請求項１〜４の何れか１項に記載の電子的撮像装置。
【発明の詳細な説明】
【技術分野】
【０００１】
本発明は、デジタルカメラ等の電子的撮像装置に関するものである。
【背景技術】
【０００２】
昨今のデジタルカメラにおける画素数の増大や連写速度の向上は著しく、単位時間当たりに取扱う必要がある処理データ量は膨大なものとなっている。デジタルカメラ等の電子的撮像装置の一般的な処理では、まず撮像部から出力された撮像信号を画像データとして一旦バッファメモリに記憶し、次いでバッファメモリから画像データを読み出し、画像処理を順次行った後、圧縮処理を行ってからメモリカード等の記録手段に記録する。
【０００３】
１枚の撮像画像について同時に記録される画像データとしては、ＪＰＥＧ圧縮画像データ、サムネイル画像（多数の画像をデジタルカメラのモニタに一覧表示するために用いる縮小された画像であり、リサイズ画像ともいう）データ等があり、これらの画像データを実時間で同時に作成して、記録する作業が必要になっている。上述した画素数の増大や連写速度の向上に伴い、これらの処理のデータ処理量が極めて多くなり、高速連写時においては処理が間に合わないという問題が生じている。その対策として、デジタルカメラ等の電子的撮像装置に複数の画像処理部を設けてそれらを並列動作させることによる処理の高速化が考えられるが、このような対策を行うと、コストアップや消費電力の増加を招いてしまう。また、上記対策として、単一の画像処理部を時系列動作させることによる処理の高速化も考えられるが、このような処理の対策を行うと、消費電力の増加および連写コマ数の減少を招いてしまう。
【０００４】
サムネイル画像データの作成にかかる負荷を低減させる従来技術として、撮像画像にサムネイル画像を付加して処理を行うとともに、サムネイル画像の水平および垂直の画素数が減少するように、データを間引いてサムネイル画像データを生成する方法（例えば特許文献１参照）がある。この方法を用いると、撮像レートが増した場合には、単位時間当たりの複数画像を処理する負荷が増大してしまう。また、画像処理回路では撮像画像およびサムネイル画像の処理を交互に切り換えるので、その切り換えのオーバーヘッドも無視できなくなる。画像処理回路では、所定のレジスタにパラメータを設定することにより処理を実施させることが一般的であるが、このときのレジスタの数は数十あるいは数百になる場合がある。同一処理を連続して行う場合にはパラメータを書き換える（設定をし直す）レジスタの数は少ないが、撮像画像およびサムネイルの処理を交互に切り換えて行う場合には、パラメータを書き換えるレジスタの数が増大して、処理のオーバーヘッドとなる。
【０００５】
また、実時間処理として処理が間に合わないときの対策として、連写中には画像データを圧縮せずにメモリカードに記憶し、所定時間だけ（メモリカードが満杯になるまで）書き込んだ後に画像データの記録を停止し、その後、画像データを取り出して圧縮を行い、圧縮した画像データを記録する方法（例えば特許文献２参照）がある。この方法を用いると、実時間処理として処理を間に合わせることはできるが、メモリカードが満杯になると画像データの記録が停止してしまうため、メモリカード内の画像データを取り出して圧縮して記録する処理が完了するまで、次の画像データの記録が待たされることとなる。
【０００６】
【特許文献１】特開２００３−１９９０１６号公報
【特許文献２】特開平７−９９６２９号公報
【発明の開示】
【発明が解決しようとする課題】
【０００７】
デジタルカメラ等の電子的撮像装置においては、ＪＰＥＧ画像やリサイズ画像等の複数の画像の画像処理および圧縮処理が必要であるが、連写時においては撮像画像を連続で画像処理、記録することに加え、撮像条件を設定するためのＡＦ動作処理などを撮像に先掛けて行わねばならない。つまり、画像処理動作と同時にＡＦなどの処理を行う。この場合、撮像レートが増大してくると、負荷が増大して実時間処理に間に合わない場合が発生する。また、このとき、前記画像処理を画像処理チップで行う場合が多いが、１回の撮像において撮像画像およびリサイズ画像の双方を生成する必要があるため、一般的には交互に撮像画像およびリサイズ画像の処理を行うこととなる。この場合の処理の切換時には、画像処理チップのレジスタ設定を毎回行うことになるため、その切り換えにより生じるオーバーヘッドも無視できないものになる。
【０００８】
本発明は、バッファメモリとして用いる記憶手段の記憶容量の増加を最小限に抑制しながら、処理のオーバーヘッドを減少させるとともに負荷の集中を緩和することにより、連写速度が高速の場合でも撮像および記録が可能な電子的撮像装置を提供することを目的とする。
【課題を解決するための手段】
【０００９】
上記目的を達成するため、本発明の請求項１に係る電子的撮像装置は、撮像素子と、リサイズ画像生成手段と、画像処理手段と、記録手段とを備え、撮像時に前記撮像素子から得た撮像画像と、該撮像画像のリサイズ画像とを、前記記録手段に記録するようにした電子的撮像装置であって、前記撮像画像および前記リサイズ画像を前記画像処理手段によりそれぞれ個別に処理する際に、前記撮像画像の画像処理および記録を前記リサイズ画像の画像処理より優先して行うことを特徴とする。
【００１０】
本発明の請求項２に係る電子的撮像装置は、前記リサイズ画像生成手段により生成した前記リサイズ画像は、撮像時に記憶手段に格納し、非撮像期間に前記記憶手段より取り出して前記画像処理手段により画像処理した後に前記記録手段に記録することを特徴とする。
【００１１】
本発明の請求項３に係る電子的撮像装置は、前記リサイズ画像は、前記記憶手段に格納する前に圧縮することを特徴とする。
【００１２】
本発明の請求項４に係る電子的撮像装置は、前記リサイズ画像の画像処理および記録は、前記撮像画像の画像処理および記録処理を妨げないように、かつ、前記画像処理手段の処理に空き時間が生じないように制御することを特徴とする。
【００１３】
本発明の請求項５に係る電子的撮像装置は、連写であるか否かを判定する判定手段を備え、該判定手段の判定結果に基づいて前記撮像画像の画像処理および記録を前記リサイズ画像の画像処理より優先して行う処理を行うか否かを決定することを特徴とする。
【発明の効果】
【００１４】
本発明の請求項１に係る電子的撮像装置によれば、撮像画像およびリサイズ画像を画像処理手段によりそれぞれ個別に処理する際に、撮像画像の画像処理および記録をリサイズ画像の画像処理より優先して行うから、データ処理の負荷の集中を緩和するとともに、複数画像を処理することに伴うオーバーヘッドを低減させることができる。したがって、連写速度が高速の場合でも撮像および記録が可能な電子的撮像装置を提供することができる。
【００１５】
本発明の請求項２に係る電子的撮像装置によれば、リサイズ画像生成手段により生成したリサイズ画像を撮像時に記憶手段に格納しておき、非撮像期間に前記記憶手段より取り出して前記画像処理手段により画像処理した後に前記記録手段に記録するから、撮像におけるデータ処理の負荷の集中を緩和することができる。
【００１６】
本発明の請求項３に係る電子的撮像装置によれば、前記リサイズ画像を前記記憶手段に格納する前に圧縮するから、リサイズ画像を記録するために必要な記憶手段の容量を最小限に抑制することができる。
【００１７】
本発明の請求項４に係る電子的撮像装置によれば、前記リサイズ画像の画像処理および記録は、前記撮像画像の画像処理および記録処理を妨げないように、かつ、前記画像処理手段の処理に空き時間が生じないように制御するから、負荷が特定の期間に集中することはなく、前記記憶手段の記憶容量の増加を抑制するとともに、優先順位を低く設定したタスクであるリサイズ画像の画像処理および記録が優先順位の高いタスクである前記撮像画像の画像処理および記録処理を妨げることや、前記画像処理手段の処理に空き時間が生じることを防止することができる。
【００１８】
本発明の請求項５に係る電子的撮像装置によれば、連写であるか否かを判定する判定手段を備え、該判定手段の判定結果に基づいて前記撮像画像の画像処理および記録を前記リサイズ画像の画像処理より優先して行う処理を行うか否かを決定するから、連写ではない場合（単写の場合）は負荷（撮像画像データ）が大きくならないので、処理手順を変更することなく、撮像および記録の処理を通常通り実行することができる。
【発明を実施するための最良の形態】
【００１９】
以下、本発明を実施するための最良の形態を図面に基づき詳細に説明する。
【００２０】
［第１実施形態］
図１は本発明の電子的撮像装置の実施の形態におけるハードウエア構成を示すブロック図である。本実施形態の電子的撮像装置は、デジタルカメラとして構成されており、撮像レンズ１と、撮像素子２と、連写判定手段３と、リサイズ手段（リサイズ画像生成手段）４と、画像処理手段５と、記憶手段６と、駆動手段７と、ＣＰＵ８と、画像圧縮伸張手段９と、記録インターフェース（記録Ｉ／Ｆ）１０と、記録手段１１と、表示インターフェース（表示Ｉ／Ｆ）１２と、表示手段１３とを具備して成る。
【００２１】
撮像レンズ１は、被写体（図示せず）からの光線を撮像素子２の撮像平面上に集光するものである。
撮像素子２は、被写体の像を光電変換することにより、撮像画像を生成するものである。
連写判定手段３は、駆動手段７の駆動タイミングを調査することにより、連写であるか否かの判定を行なうものである。
リサイズ手段４は、撮像画像の画像データのリサイズ処理を行うものである。本実施形態では、撮像画像の画像データにローパスフィルタのフィルタ処理を施し、間引き等により画像データをリサイズ（縮小）してリサイズ画像を生成する。
画像処理手段５は、各種補正処理、色補間処理等の画像処理を行うものである。
記憶手段６は、リサイズ画像等のデータを格納する記憶媒体（例えばＲＡＭ）であり、バッファメモリとして機能するものである。
駆動手段７は、撮像レンズ１や撮像素子２の駆動制御を行うものである。
ＣＰＵ８は、駆動手段７の制御を行うとともに、連写判定手段３、リサイズ手段４、画像処理手段５、画像圧縮伸張手段９、記録Ｉ／Ｆ１０、表示Ｉ／Ｆ１２等を含むデジタルカメラ全体の制御を行うものである。ＣＰＵ８は、それらの制御に加えて、記憶手段６および記録手段１１に格納するデータ（撮像画像、リサイズ画像）のファイルフォーマットを生成する処理も行う。
画像圧縮伸張手段９は、画像データの圧縮や伸張を行なうものである。
記録Ｉ／Ｆ１０は、記憶手段６に記憶されたデータを記録手段１１に記録するための制御を行うものである。
記録手段１１は、フラッシュメモリ、ハードディスク等の記録媒体である。
表示Ｉ／Ｆ１２は、画像処理手段５で画像処理された撮像画像や、撮像画像をリサイズ手段４でリサイズして生成したリサイズ画像等を表示手段１３に入力して表示させるものである。
表示手段１３は、表示Ｉ／Ｆ１２経由で入力された撮像画像やリサイズ画像を表示するものであり、モニタやＥＶＦ（電子ビューファインダ）を用いることができる。
【００２２】
［撮像時における撮像画像の記録処理およびリサイズ画像の蓄積処理］
図２は本発明の電子的撮像装置において撮像時に実行される撮像画像の記録処理およびリサイズ画像の蓄積処理を示すフローチャートであり、図３は図２のフローチャートの実行時のデータの流れを説明するための図である。
まず、図２のステップＳ０１では、駆動手段７を起動して、撮像レンズ１を介して撮像素子２の撮像平面上に集光し、光電変換された撮像画像を取り込み、記憶手段６に格納する（図３の矢印Ａ１）。次のステップＳ０２では、連写判定手段３により駆動手段７の駆動タイミングに基づいて連写であるか否かを判定し、連写であると判定した場合にはステップＳ０３に進み、連写ではない（単写である）と判定した場合にはステップＳ０６に進む。
【００２３】
連写である場合にステップＳ０２から進むステップＳ０３では、リサイズ手段４を起動し、撮像画像をリサイズしてリサイズ画像を生成し、簡易な手法（ハフマン符号化、ランレングス符号化等）を用いてデータサイズを圧縮した後、圧縮したリサイズ画像を記憶手段６に格納（蓄積）する（図３の矢印Ａ２参照）。その際、後に詳述するが、非撮像期間にリサイズ画像を取り出して画像処理および記録する図４の処理のスケジューリングを行っておく。次のステップＳ０４では、撮像画像の画像処理を行なうために画像処理手段５を起動させ、画像処理手段５により、各種補正処理、色補間処理等の画像処理を行い、画像処理した撮像画像を記憶手段６に格納する（図３の矢印Ａ３参照）。次のステップＳ０５では、画像圧縮伸張手段９により撮像画像の圧縮を行い、データサイズを縮小して記憶手段６に格納する（図３の矢印Ａ４参照）。この撮像画像の圧縮方法としては、通常、ＪＰＥＧ圧縮が用いられる。連写である場合には、単写である場合に比べて負荷が大きくなるので、撮像時には撮像画像の画像処理および画像圧縮のみを行い、リサイズ画像は記憶手段６に格納（蓄積）しておいて、リサイズ画像の画像処理および画像圧縮を後で（非撮像期間に）行うようにしている。
【００２４】
一方、連写ではない場合（単写の場合）にステップＳ０２から進むステップＳ０６では、画像処理手段５の撮像画像用のレジスタ設定を行う。このレジスタ設定により、撮像画像の画像処理のパラメータをレジスタに設定して画像処理手段５を起動する準備を行う。次のステップＳ０７では、画像処理手段５を起動して撮像画像の画像処理を行う（図３の矢印Ａ３参照）。次のステップＳ０８では、画像圧縮伸張手段９を起動して撮像画像の画像圧縮を行う（図３の矢印Ａ４参照）。次のステップＳ０９では、リサイズ画像に関する画像処理手段５のリサイズ画像用のレジスタ設定を行う。このレジスタ設定により、リサイズ画像の画像処理のパラメータをレジスタに設定して画像処理手段５を起動する準備を行う。次のステップＳ１０では、画像処理手段５を起動してリサイズ画像の画像処理を行う（図３の矢印Ａ３参照）。次のステップＳ１１では、画像圧縮伸張手段９を起動してリサイズ画像の画像圧縮を行う（図３の矢印Ａ４参照）。連写ではない場合（単写の場合）には、連写である場合のように負荷が大きくならないので、処理手順を変更することなく、撮像および記録の処理を通常通り実行し、撮像画像の画像処理および画像圧縮と、リサイズ画像の画像処理および画像圧縮とを、撮像時に行う。
【００２５】
ステップＳ０５の画像圧縮およびステップＳ１１の画像圧縮の完了後に進むステップＳ１２では、撮像画像およびリサイズ画像のファイルフォーマットを生成する。次のステップＳ１３では、画像処理した画像データを記録Ｉ／Ｆ１０を経由して記録部１１に記録する（図３の矢印Ａ５参照）。これにより、連写の場合には画像処理した撮像画像のみが記録部１１に記録され、単写の場合には画像処理した撮像画像および画像処理したリサイズ画像が記録手段１１に記録されることになる。
【００２６】
［記憶手段に格納（蓄積）されたリサイズ画像の記録処理］
図４は本発明の電子的撮像装置において非撮像期間（空き時間）に実行されるリサイズ画像の記録処理を示すフローチャートであり、図５は図４のフローチャートの実行時のデータの流れを説明するための図であり、図６は本発明の電子的撮像装置の記憶手段へのリサイズ画像の格納状態を例示する図である。リサイズ画像は、図６に示すように記憶手段６内に格納されており、「読み出しポインタ」が指定した位置に格納されたリサイズデータ（図示例の場合、リサイズデータ２）が記憶手段６から取り出され、図２のフローチャートの「撮像画像の記録処理およびリサイズ画像の蓄積処理」により、記憶手段６内の「書き込みポインタ」が指定した位置にリサイズデータ（図示例の場合、リサイズデータ３）が書き込まれ、書き込みポインタと読み出しポインタが一致したときに、蓄積データがなくなるので、そのときに、ＣＰＵ８は、「リサイズ画像（リサイズデータ）の記録処理は終わっている」と判断する。
【００２７】
まず、図４のステップＳ２１では、リサイズ画像を記憶手段６より取り出し、簡易な手法（ハフマン符号化、ランレングス符号化等）を用いて、圧縮されていたリサイズ画像を元の状態に復元する。次のステップＳ２２では、画像処理手段５によって各種補正処理、色補間処理等の画像処理を復元したリサイズ画像に対して行い（図５の矢印Ｂ１参照）、画像処理したリサイズ画像を記憶手段６に再格納する。次のステップＳ２３では、リサイズ画像のファイルフォーマットを生成する。次のステップＳ２４では、リサイズ画像を記録Ｉ／Ｆ１０を経由して記録手段１１に記録（格納）する（図５の矢印Ｂ２参照）。
【００２８】
［連写後の非撮像期間（空き時間）に実行するリサイズ画像の記録処理の手順］
図７〜図９は本発明の電子的撮像装置において連写後の非撮像期間（空き時間）に実行するリサイズ画像の記録処理の手順を説明するための図である。
デジタルカメラ等の電子的撮像装置には、通常、ＯＳ（オペレーティングシステム）が搭載されており、ＯＳは、電子的撮像装置における各処理を実行する優先順位およびスケジュールを管理する。図７はＯＳがＴＣＢ（タスクコントロールブロック）およびＲＱ（リクエストキュー）によりスケジュールを管理する様子を示している。ＴＣＢは、各手段の処理を実行するプログラムを有している。ＲＱは、プログラムへの処理要求を示しており、処理を行う画像データのアドレスや、プログラムへ引き渡す処理のパラメータ等を情報として有している。ＯＳは、ＴＣＢに接続されているＲＱを調査して、優先順位の高いＲＱについて該当するＴＣＢの処理プログラムに制御を渡し、処理を行わせ、処理が完了すると、完了したＲＱをＴＣＢから外し、次のＲＱの処理を行わせる。図７に示す例では、優先順位が高い順に、駆動手段７、リサイズ手段４、画像処理手段５、画像圧縮伸張手段９、・・・となっている。同じ優先順位のＴＣＢに複数のＲＱが接続される場合もあるが、その場合、先頭のＲＱの処理が完了した時点でより高い優先順位のＲＱが存在しなければ、次に接続されているＲＱが処理されることになる。
【００２９】
図７において、駆動手段７により撮像レンズ１や撮像素子２を駆動して撮像画像を取り込むときに、ＣＰＵ８により駆動手段７にＲＱが接続される（図７のＣ１参照）。このＲＱによる処理が開始されると、撮像素子２より撮像画像の取り込みを実施する。次に、ＣＰＵ８は、駆動手段７による撮像画像の取り込みの完了を検出すると、リサイズ手段４および画像処理手段５にＲＱを要求する（図７の矢印Ｃ２，矢印Ｃ３参照）。このとき、リサイズ手段４の方が優先順位が高いので、リサイズ手段４の処理が実行され、処理結果のデータであるリサイズ画像データが記憶手段６に格納される。その後、ＣＰＵ８は、リサイズ画像の処理を起動するための記録処理のＲＱを発行する（図７の矢印Ｃ４参照）。
【００３０】
次に、処理は図８に進む。この図８の時点では、画像処理手段５のＲＱと、リサイズ画像の処理を起動するための記録処理のＲＱとがＴＣＢに接続されている。ＯＳは、画像処理手段５の方がＲＱの優先順位が高いので、画像処理を実行させる。この画像処理が完了すると、画像圧縮伸張手段９および記録Ｉ／Ｆ１０にＲＱを発行し、一連の処理を行う（図８の矢印Ｃ５，矢印Ｃ６参照）。
【００３１】
次に、処理は図９に進む。この図９の時点では、リサイズ画像の処理を起動するための記録処理のＲＱが残っている。したがって、リサイズ画像の記録の実行を開始する。ここでは、画像処理手段５（リサイズ画像）のＲＱを発行し、処理を実行させる（図９の矢印Ｃ７参照）。この場合、前記と同様に、リサイズ画像を記憶手段６より取り出して、簡易な手法（ハフマン符号化、ランレングス符号化等）を用いて、圧縮されていたリサイズ画像を元の状態に復元する。その後、画像処理手段５によって各種補正処理、色補間処理等の画像処理を復元したリサイズ画像に対して行い、画像処理したリサイズ画像を記憶手段６に再格納する。上記処理が完了すると、同様の手順で、画像圧縮伸張手段９（リサイズ画像）のＲＱおよび記録Ｉ／Ｆ１０（リサイズ画像）のＲＱを発行し、順次処理を行う（図９の矢印Ｃ８，矢印Ｃ９参照）。
【００３２】
上記図７〜図９のリサイズ画像の記録処理では、次の撮像画像が無いのでリサイズ画像の記録を行っているが、このリサイズ画像の記録処理の間に撮像が行われた場合には、駆動手段７にＲＱが接続されるので、優先順位が最も高い駆動手段７から始まる一連の手順が開始されることになり、リサイズ画像の記録は後回しにされる。つまり、撮像画像の画像処理および記録が優先的に行われ、リサイズ画像の記録は、撮像画像の画像処理および記録に影響を与えないようにバックグランドで処理されるようになる。
【００３３】
図１０は本発明の電子的撮像装置を用いた撮像により得られるデータのファイルフォーマットを例示する図である。本発明の電子的撮像装置を用いた撮像により得られるデータのファイルフォーマットは、当該ファイルのヘッダと、主画像タグ（撮像画像タグ）と、リサイズタグと、リサイズ画像、主画像データ（撮像画像データ）等とから成る。主画像タグは、主画像の画像幅および画像の高さ等の画像情報と、主画像データへの画像ポインタと、リサイズタグのアドレスを示すリサイズ情報ポインタとから成る。リサイズタグは、リサイズ画像の画像幅および画像高さ等の画像情報と、リサイズ画像データのアドレスを示すリサイズ画像ポインタとから成る。リサイズ画像データのエリアおよび主画像データのエリアにはそれぞれ、リサイズ画像および主画像が格納される。主画像を記録する際には、主画像データのエリアに新たに記録する主画像が付加され、リサイズ画像を記録する際には、リサイズ画像のエリアに新たに記録するリサイズ画像が付加される。
【００３４】
以上説明したように、本発明の電子的撮像装置によれば、撮像画像およびリサイズ画像を画像処理手段５によりそれぞれ個別に処理する際に、優先度をリサイズ画像よりも高く設定した撮像画像の画像処理および記録をリサイズ画像の画像処理より優先して行うから、データ処理の負荷の集中を緩和するとともに、複数画像を処理することに伴うオーバーヘッドを低減させることができる。したがって、連写速度が高速の場合でも撮像および記録が可能な電子的撮像装置を提供することができる。
また、本発明の電子的撮像装置によれば、リサイズ手段４により生成したリサイズ画像を撮像時（連写撮像時）に記憶手段６に格納しておき、非撮像期間に記憶手段６より取り出して画像処理手段５により画像処理した後に記録手段１１に記録するから、データ処理の負荷の集中を緩和することができる。
また、本発明の電子的撮像装置によれば、リサイズ画像の画像処理および記録は、撮像画像の画像処理および記録処理を妨げないように、かつ、画像処理手段５の処理に空き時間が生じないように、図７〜図９に示すスケジューリングに基づいて行うから、負荷が特定の期間に集中することはなく、記憶手段４の記憶容量の増加を抑制するとともに、優先順位を低く設定したリサイズ画像の画像処理および記録が優先順位の高いタスクである前記撮像画像の画像処理および記録処理を妨げることや、前記画像処理手段の処理に空き時間が生じることを防止することができる。
また、本発明の電子的撮像装置によれば、記憶手段６に格納するリサイズ画像は圧縮されているので、元々データ容量が小さいリサイズ画像を圧縮することにより、記憶手段４の記憶容量の増加を最小限に抑制することができる。
【図面の簡単な説明】
【００３５】
【図１】本発明の電子的撮像装置の実施の形態におけるハードウエア構成を示すブロック図である。
【図２】本発明の電子的撮像装置において撮像時に実行される撮像画像の記録処理およびリサイズ画像の蓄積処理を示すフローチャートである。
【図３】図２のフローチャートの実行時のデータの流れを説明するための図である。
【図４】本発明の電子的撮像装置において非撮像期間（空き時間）に実行されるリサイズ画像の記録処理を示すフローチャートである。
【図５】図４のフローチャートの実行時のデータの流れを説明するための図である。
【図６】本発明の電子的撮像装置の記憶手段へのリサイズ画像の格納状態を例示する図である。
【図７】本発明の電子的撮像装置において連写後の非撮像期間（空き時間）に実行するリサイズ画像の記録処理の手順を説明するための図である。
【図８】本発明の電子的撮像装置において連写後の非撮像期間（空き時間）に実行するリサイズ画像の記録処理の手順を説明するための図である。
【図９】本発明の電子的撮像装置において連写後の非撮像期間（空き時間）に実行するリサイズ画像の記録処理の手順を説明するための図である。
【図１０】本発明の電子的撮像装置を用いた撮像により得られるデータのファイルフォーマットを例示する図である。
【符号の説明】
【００３６】
１  撮像レンズ
２  撮像素子
３  連写判定手段
４  リサイズ手段（リサイズ画像生成手段）
５  画像処理手段
６  記憶手段
７  駆動手段
８  ＣＰＵ
９  画像圧縮伸張手段
１０  記録インターフェース（記録Ｉ／Ｆ）
１１  記録手段
１２  表示インターフェース（表示Ｉ／Ｆ）
１３  表示手段
【図１】
2009303114.tif 000003
【図２】
2009303114.tif 000004
【図３】
2009303114.tif 000005
【図４】
2009303114.tif 000006
【図５】
2009303114.tif 000007
【図６】
2009303114.tif 000008
【図７】
2009303114.tif 000009
【図８】
2009303114.tif 000010
【図９】
2009303114.tif 000011
【図１０】
2009303114.tif 000012